(57)【要約】【課題】  センサ類や動力等の無い簡単な機構で、空きペットボトル６を、空き缶（スチール缶８，アルミ缶７）から分別できるようにする。【解決手段】  投入されたペットボトル６を横向きで落下させる受入部１と、受入部１の下方で且つ受入部１から落下するペットボトル６の口部域６３が当接するべき位置に設けられたロッド２０と、ロッド２０の下方に設けられ、落下物６／７の行先を上端縁３０にて分かつ斜路３５とを有するペットボトル分別装置。ロッド２０は、該ロッド２０に掛止されて離脱するペットボトル６を、その底部６５が斜路３５の上端縁３０を越える方向へ回転させ、斜路３５の上端縁３０は、ロッド２０により回転されるペットボトル６の底部６５と干渉しない高さに設けられている。【選択図】  図１
2018094527.tif 000002
【特許請求の範囲】
【請求項１】
投入されたペットボトルを横向きで落下させる受入部と、
前記受入部の下方で且つ該受入部から落下するペットボトルの口部域が当接するべき位置に掛止部が設けられた一時掛止手段と、
前記一時掛止手段の下方に設けられ、落下物の行先を上端縁にて分かつ板状部を備えた区分手段と、
を有し、
前記一時掛止手段は、その掛止部に掛止されて離脱するペットボトルを、その底部が前記板状部の上端縁を越える方向へ回転させ、
前記区分手段の板状部の上端縁は、前記一時掛止手段により回転されるペットボトルの底部と干渉しない高さに設けられている、
ことを特徴とするペットボトル分別装置。
【請求項２】
請求項１に於いて、
前記区分手段は、前記一時掛止手段から離脱したペットボトルを上部斜面で受けて下部からペットボトル収容部へ送出する斜路を、前記板状部として有する、
ことを特徴とするペットボトル分別装置。
【請求項３】
請求項２に於いて、
さらに、前記斜路の上部斜面の上端縁を外れた位置の下方に、前記斜路へ至らなかった落下物を第２の収容部へ送出する第２の斜路を有する、
ことを特徴とするペットボトル分別装置。
【請求項４】
請求項１に於いて、
前記区分手段は、前記上端縁を越えた先の領域をペットボトル収容室と成すための隔壁を、前記板状部として有する、
ことを特徴とするペットボトル分別装置。
【請求項５】
請求項１〜請求項４の何れかに於いて、
前記受入部は投入された缶を横向きで落下させ、
前記区分手段の上端縁は、前記受入部から落下する缶の重心位置直下と前記一時掛止手段の掛止部直下との間に位置する、
ことを特徴とするペットボトル分別装置。
【請求項６】
請求項５に於いて、
前記区分手段の上端縁は、前記受入部から落下する缶の重心位置直下と前記受入部から落下するペットボトルの重心位置直下との間に位置する、
ことを特徴とするペットボトル分別装置。
【請求項７】
請求項１〜請求項６の何れかに於いて、
前記受入部は、投入されたペットボトルや缶を前記一時掛止手段の掛止部の方向へ付勢する付勢手段を有する、
ことを特徴とするペットボトル分別装置。
【請求項８】
請求項１〜請求項７の何れかに於いて、
前記一時掛止手段の掛止部は、前記受入部から落下するペットボトルの口部域が当接するべき位置に架設されたロッドである、
ことを特徴とするペットボトル分別装置。
【請求項９】
請求項１〜請求項７の何れかに於いて、
前記一時掛止手段は、前記受入部から落下するペットボトルの口部域が当接するべき位置に前記掛止部としての上縁部が位置する縦板と、該縦板を回転可能に支持する支持軸とを有する、
ことを特徴とするペットボトル分別装置。
【発明の詳細な説明】
【技術分野】
【０００１】
本発明は、使用済みのペットボトルを、センサ類や動力等を用いない簡単な機構で、空き缶（アルミ缶，スチール缶）から分別できるようにした分別装置に関する。
【背景技術】
【０００２】
飲料用の容器として、ペットボトル、スチール缶、アルミ缶等が用いられている。それらの容器をリサイクルするためには、まず、それらを分別する必要がある。
使用済みのペットボトル、瓶、鉄カン、アルミ缶を分別するペットボトル選別器が、特開２０００−２５４５９１号公報（特許文献１）に記載されている。
【先行技術文献】
【特許文献】
【０００３】
【特許文献１】特開２０００−２５４５９１号公報
【発明の概要】
【発明が解決しようとする課題】
【０００４】
特許文献１に記載のペットボトル選別器では、ペットボトルの長さが、瓶や缶の長さよりも長いことに着目して、ペットボトルを、瓶や缶から分別している。即ち、容器投入口の直ぐ下に設けた選別棒により、ペットボトルを選別している。
しかし、近年では、飲料用の缶としても種々の長さのものが提供されており、それらの中には、ペットボトルと同等の長さのものもある。
【０００５】
本発明は、空きペットボトルを空き缶（アルミ缶やスチール缶）から低コストで分別できる装置、言い換えれば、センサ類や動力を用いない簡単な機構で分別できる装置を提供することを目的とする。また、空き缶が、空きペットボトルと同等の長さであっても、分別できるようにすることを目的とする。
【課題を解決するための手段】
【０００６】
本発明の構成を、下記［１］〜［９］に記す。なお、この項（［課題を解決するための手段］）と次項（［発明の効果］）に於いて、符号や図番号は理解を容易にするために付したものであり、本発明を符号の構成に限定する趣旨ではない。
【０００７】
［１］構成１
投入されたペットボトル６を横向きで落下させる受入部１と、
前記受入部１の下方で且つ該受入部１から落下するペットボトル６の口部域６３が当接するべき位置に掛止部２０が設けられた一時掛止手段２と、
前記一時掛止手段２の下方に設けられ、落下物６／７の行先を上端縁３０にて分かつ板状部３５（３６）を備えた区分手段３と、
を有し、
前記一時掛止手段２は、その掛止部２０に掛止されて離脱するペットボトル６を、その底部６５が前記板状部３５（３６）の上端縁３０を越える方向へ回転させ、
前記区分手段３の板状部３５（３６）の上端縁３０は、前記一時掛止手段２により回転されるペットボトル６の底部６５と干渉しない高さに設けられている、
ことを特徴とするペットボトル分別装置。
上記に於いて、「ペットボトル６を、その底部６５が前記板状部３５（３６）の上端縁３０を越える方向」とは、図１（ａ）での左下方向が該当する。
【０００８】
［２］構成２
構成１に於いて、
前記区分手段３は、前記一時掛止手段２から離脱したペットボトル６を上部斜面３５１で受けて下部３５３からペットボトル収容部９６（図３（ａ）参照）へ送出する斜路３５を、前記板状部として有する、
ことを特徴とするペットボトル分別装置。
［３］構成３
構成２に於いて、
さらに、前記斜路３５の上部斜面３５１の上端縁３０を外れた位置の下方に、前記斜路３５へ至らなかった落下物７を第２の収容部９７（図３（ｂ）参照）へ送出する第２の斜路４を有する、
ことを特徴とするペットボトル分別装置。
上記に於いて、「上部斜面の上端縁３０を外れた位置」とは、図２（ａ）での斜路３５の上端縁３０の右側が該当する。
【０００９】
［４］構成４
構成１に於いて、
前記区分手段３は、前記上端縁３０を越えた先の領域をペットボトル収容室９６Ａ（図４（ａ）参照）と成すための隔壁３６を、前記板状部として有する、
ことを特徴とするペットボトル分別装置。
【００１０】
［５］構成５
構成１〜構成４の何れかに於いて、
前記受入部１は投入された缶７を横向きで落下させ、
前記区分手段３の上端縁３０は、前記受入部１から落下する缶７の重心７ｃ位置直下と前記一時掛止手段２の掛止部２０直下との間ｐ（図４（ａ）参照）に位置する、
ことを特徴とするペットボトル分別装置。
［６］構成６
構成５に於いて、
前記区分手段３の上端縁３０は、前記受入部１から落下する缶７の重心７ｃ位置直下と前記受入部１から落下するペットボトル６の重心６ｃ位置直下との間ｑ（図４（ａ）参照）に位置する、
ことを特徴とするペットボトル分別装置。
【００１１】
［７］構成７
構成１〜構成６の何れかに於いて、
前記受入部１は、投入されたペットボトル６や缶７を前記一時掛止手段２の掛止部２０の方向へ付勢する付勢手段１５を有する、
ことを特徴とするペットボトル分別装置。
［８］構成８
構成１〜構成７の何れかに於いて、
前記一時掛止手段２の掛止部２０は、前記受入部１から落下するペットボトル６の口部域６３が当接するべき位置に架設されたロッド２０である、
ことを特徴とするペットボトル分別装置。
［９］構成９（図４（ｂ）〜（ｅ）参照）
構成１〜構成７の何れかに於いて、
前記一時掛止手段２は、前記受入部１から落下するペットボトル６の口部域６３が当接するべき位置に前記掛止部としての上縁部２０が位置する縦板２１と、該縦板２１を回転可能に支持する支持軸２５とを有する、
ことを特徴とするペットボトル分別装置。
【発明の効果】
【００１２】
構成１は、投入されたペットボトル６を横向きで落下させる受入部１と、前記受入部１の下方で且つ該受入部１から落下するペットボトル６の口部域６３が当接するべき位置に掛止部２０が設けられた一時掛止手段２と、前記一時掛止手段２の下方に設けられ、落下物６／７の行先を上端縁３０にて分かつ板状部３５（３６）を備えた区分手段３とを有し、前記一時掛止手段２は、その掛止部２０に掛止されて離脱するペットボトル６を、その底部６５が前記板状部３５（３６）の上端縁３０を越える方向へ回転させ、前記区分手段３の板状部３５（３６）の上端縁３０は、前記一時掛止手段２により回転されるペットボトル６の底部６５と干渉しない高さに設けられていることを特徴とするペットボトル分別装置であるため、投入されたペットボトル６を、区分手段３の板状部３５（３６）の上端縁３０を越える側へ送り込むことができる。また、そのための駆動力や駆動力伝達機構、或いは、センサ等を用いない簡単な機構であるため、低コストである。
構成２は、構成１に於いて、前記区分手段３は、前記一時掛止手段２から離脱したペットボトル６を上部斜面３５１で受けて下部３５３からペットボトル収容部９６へ送出する斜路３５を前記板状部として有するため、抽出したペットボトル６を、簡単な機構でペットボトル収容部９６へ送り込むことができる。
構成３は、構成２に於いて、さらに、前記斜路３５の上部斜面３５１の上端縁３０を外れた位置の下方に、前記斜路３５へ至らなかった落下物７を第２の収容部９７へ送出する第２の斜路４を有するため、ペットボトル収容部９６へ送り込まれなかった落下物を第２の収容部９７へ送り込むことができる。
構成４は、構成１に於いて、前記区分手段３は、前記上端縁３０を越えた先の領域をペットボトル収容室９６Ａと成すための隔壁３６を前記板状部として有するため、抽出したペットボトル６を、簡単な機構でペットボトル収容室９６Ａへ収容することができる。
構成５は、構成１〜構成４の何れかに於いて、前記受入部１は投入された缶７を横向きで落下させ、前記区分手段３の上端縁３０は前記受入部１から落下する缶７の重心７ｃ位置直下と前記一時掛止手段２の掛止部２０直下との間ｐに位置するため、一時掛止手段２から離脱したペットボトル６を、区分手段３の上端縁３０の向う側（上端縁３０を越える側）へ、より確実に送り込むことができ、且つ、一時掛止手段２から離脱した缶７を、区分手段３の上端縁３０を越えない側へ、より確実に落下させることができる。
構成６は、構成５に於いて、前記区分手段３の上端縁３０は、前記受入部１から落下する缶７の重心７ｃ位置直下と前記受入部１から落下するペットボトル６の重心６ｃ位置直下との間ｑに位置するため、一時掛止手段２から離脱したペットボトル６を、区分手段３の上端縁３０の向う側（上端縁３０を越える側）へ、更に確実に送り込むことができ、且つ、一時掛止手段２から離脱した缶７を、区分手段３の上端縁３０を越えない側へ、より確実に落下させることができる。
構成７は、構成１〜構成６の何れかに於いて、前記受入部１は、投入されたペットボトル６や缶７を前記一時掛止手段２の掛止部２０の方向へ付勢する付勢手段１５を有するため、受入部１から落下するペットボトル６の口域部６３を、掛止部２０に、より確実に当接させることができる。
構成８は、構成１〜構成７の何れかに於いて、前記一時掛止手段２の掛止部２０は、前記受入部１から落下するペットボトル６の口部域６３が当接するべき位置に架設されたロッド２０であるため、簡単で低コストの機構で掛止部を実現することができる。
構成９は、構成１〜構成７の何れかに於いて、前記一時掛止手段２は、前記受入部１から落下するペットボトル６の口部域６３が当接するべき位置に前記掛止部としての上縁部２０が位置する縦板２１と、該縦板２１を回転可能に支持する支持軸２５とを有するため、受入部１から落下するペットボトルを、一時掛止手段２により掛止して離脱させるとともに回転させる作用を、より確実に奏することができる。
【図面の簡単な説明】
【００１３】
【図１】投入されたペットボトル６を区分手段３の斜路３５の上端縁３０を越える側へ送り込む原理を示し、（ａ）は装置内部を透視して模式的に示す正面図、（ｂ）は同側面図、（ｃ）はペットボトル６の口部域６３や重心６ｃを示す説明図。
【図２】投入された缶７（アルミ缶）（／缶８（スチール缶））を区分手段３の斜路３５の上端縁３０を越えない側へ落下させる原理を示し、（ａ）は装置内部を透視して模式的に示す正面図、（ｂ）は同側面図、（ｃ）は缶７の重心７ｃを示す説明図。
【図３】実施の形態の装置構成を示し、（ａ）は装置内部を透視して模式的に示す正面図、（ｂ）は同側面図。
【図４】（ａ）は図３とは異なる実施の形態の装置内部を透視して模式的に示す正面図。（ｂ）は図１〜図３，図４（ａ）で用いられている一時掛止手段とは異なる一時掛止手段２の構成例を示す説明図であり、（ｃ）〜（ｅ）は、それぞれ、（ｂ）内矢視Ｃ／Ｄ／Ｅ方向から見た縦板２１の例を示す。
【発明を実施するための形態】
【００１４】
図面を参照して、本発明の実施の形態を説明する。
（１）ペットボトル６の分別原理
図１は、斜路３５の上端縁３０を越えて、ペットボトル（空きペットボトル）６を、斜路３５の上部斜面３５１上へ送り込む原理を示す。ここで、斜路３５は、平板を傾斜させて設けることにより構成されている。
図示の装置では、受入部１の投入斜路１０に置かれることにより転動して落下するペットボトル６を、一時掛止手段２の具体例であるロッド（竹ひご）２０により一時的に掛止した後、離脱させつつ回転させる。これにより、ペットボトル６は、斜路３５の上端縁３０を越えて上部斜面３５１上に落下し、下部３５３から外部へ送出される。
【００１５】
ペットボトル６を、上述の如く「ロッド２０で一時的に掛止した後、離脱させつつ回転させる」ためには、ペットボトル６の口部域６３を、ロッド２０に当接させることが必要である。口部域６３とは、図１（ｃ）に示すように、ペットボトル６の口部６１近傍の突リング６２の右端と、ペットボトル６の筒状同径部分の左端（テーパ状の窄まりが始まる部位）との間を言うものとする。ここでの右端，左端は、図１（ｃ）基準とする。
【００１６】
ペットボトル６の口部域６３をロッド２０に当接させるという要請を満たすため、図１の例では、受入部１のサイズを、標準的なペットボトル（５００ｃｃ容器；自動販売機用に多く用いられる）に適合させている。即ち、受入部１の図１（ａ）での左右方向の長さを、５００ｃｃ容器の長さより若干長めのサイズに設定している。言い換えれば、５００ｃｃ容器を、若干の遊びを持って受け入れ得る程度の長さとしている。このため、標準的なペットボトル（５００ｃｃ容器）を投入すると、その口部域６３の先端側付近（突リング６２寄り）がロッド２０に当接し、結果、ペットボトル６は、確実に回転しつつ斜路３５の上端縁３０を越えて、上部斜面３５１上に落下する。
【００１７】
一方、標準的なサイズより若干小さめのサイズ（３５０ｃｃ）のペットボトルについては、受入部１に付設した弾性リップ（弾性片）１５で、当該小さなペットボトル６を、その口部６１の方向（図１（ａ）で左方向）へ押して、その口部域６３が、ロッド２０に当接するように調整している。
【００１８】
弾性リップ１５の効果確認のため、３５０ｃｃ容器を用いて実験したところ、弾性リップ１５を取り除いた構成では、成功率が３０％程度（３０％程度が斜路３５の上端縁３０を越えて上部斜面３５１上に落下）であったのに対して、弾性リップ１５を設けた構成では、成功率が７０％程度に向上した。即ち、７０％程度が、斜路３５の上端縁３０を越えて上部斜面３５１上に落下した。
【００１９】
７０％程度の成功率では未だ不十分ではあるが、弾性リップ１５の効果が確認できたことを考慮すると、弾性リップ１５の材質、弾力、サイズ、厚さ、角度等を調整するとともに、投入斜路１０の傾斜角度、斜面の材質、長さ（転動する距離）等を調整し、また、受入部１の下端からロッド２０に至る落下距離等を適切に調整することにより、３５０ｃｃ容器についても、十分に高い精度を得られると考えられる。
【００２０】
一方、弾性リップ１５がペットボトル６を押し過ぎると、口部域６３ではなく、底部６５寄りの部分、即ち、ペットボトル６の筒状同径部分がロッド２０に当接し、結果、ペットボトル６を回転させる力が不十分となって、斜路３５の上端縁３０を越えられなくなる畏れが生ずる。このため、必要に応じて、ペットボトル６の押し過ぎによる不具合を解消する手段を付加してもよい。
【００２１】
例えば、弾性リップ１５によって押されるペットボトル６の前方に、適宜のストッパを設けて、ペットボトル６を止めつつ、その口部域６３がロッド２０に当接するように案内してもよい。図４（ａ）内に、その一例をストッパ１６として示す。図４（ａ）では、ストッパ１６は曲面状を成すが、曲面に限定されず、平面状であってもよい。要は、ペットボトル６の押され過ぎを抑制して、口部域６３がロッド２０に当接して滑り、突リング６２に掛止され得るように案内できればよい。
なお、上記では、弾性リップ１５の機能を、「ペットボトル６を押す機能」として説明しているが、「ペットボトル６を押す機能」に代えて、又は、「ペットボトル６を押す機能」とともに、「ペットボトル６を弾性リップ１５上で口部６１の方向へ滑らせる機能」を奏させるように、弾性リップ１５を斜路として構成してもよい。
【００２２】
これら弾性リップ１５やストッパ１６は、ペットボトル６を案内して、その口部域６３をロッド２０に当接させるための機構であるが、一時掛止手段２の構成を工夫して、より確実に、ペットボトル６の突リング６２を一時掛止手段２（掛止部２０）に一時掛止・離脱させることにより回転させ、より確実に、斜路３５の上端縁３０を越え得るようにしてもよい。
【００２３】
その一例を、図４（ｂ）〜（ｅ）に示す。
図１では、一時掛止手段２としてロッド２０を用いているが、図４（ｂ）では、鉛直方向の縦板２１と、該縦板２１の下端から水平方向に連設された横板２２と、該横板２２の先端側を回転可能に支持する支持軸２５とを有し、縦板２１の上縁部を掛止部２０と成した構成を、一時掛止手段２としている。
【００２４】
図４（ｂ）の一時掛止手段２は、以下のように機能する。
口部域６３が縦板２１の上縁部２０（／２０１）に当接したペットボトル６は、落下しつつ上縁部２０（／２０１）の上を滑り、口部域６３の終端の部位である突リング６２が上縁部２０に至ると、該突リング６２が上縁部２０によって一時掛止される。
一方、縦板２１及び該縦板２１と一体の横板２２は、ペットボトル６の落下に伴い、ペットボトル６に押されて支持軸２５を軸芯として矢印ｒ方向へ回転し、横板２２が鉛直を向いたとき（＝縦板２１が水平を向いたとき）、ストッパ２３により停止される。
【００２５】
矢印ｒ方向への回転の途中、又は、ストッパ２３により回転を停止されたとき、ペットボトル６は縦板２１の上縁部２０から離脱しつつ左下方（図１（ａ）での左下方）への力を受けて回転し、斜路３５の上端縁３０を越えて、上部斜面３５１上に落下する。
一方、ペットボトル６が離脱した一時掛止手段２は、バネ（不図示）に付勢されて矢印ｓ方向へ回転し、元の位置（縦板２１が鉛直方向、横板２２が水平方向を向く位置）へ復帰すると、ストッパ２４によって停止される。上記バネとしては、ペットボトル６に押される矢印ｒ方向への回転を許容し、ペットボトル６が離脱した後は縦板２１及び横板２２を矢印ｓ方向へ回転させ得る程度の力のバネであればよい。
【００２６】
上記に於いて、支持軸２５を軸芯とする回転は、支持軸２５を横板２２と一体で回転させる（＝支持軸２５の両端を回転可能に筐体側で支持する）構成でもよく、支持軸２５を固定し、その回りに横板２２を回転させる構成でもよい。
また、縦板２１の上端縁は、図４（ｅ）の如く水平な直線状でもよいが、図４（ｄ）の如く上端縁２０の中央寄りへ案内する傾斜を成す掛止部２０と兼用の案内部２０１と成した構成でもよく、図４（ｃ）の如く案内部２０１の先（図４（ｃ）での中央位置）に、別途、ペットボトル６の口部６１と略同径の円弧を成す掛止部２０を設けてもよい。
【００２７】
ペットボトル６が、「区分手段３の上端縁３０を越え得る」ためには、回転しつつ左下方（図１（ａ）での左下方）へ落下するペットボトル６の底部６５と、斜路３５の上端縁３０との間に、間隙ｔ（図４（ａ））の確保が必要である。換言すれば、区分手段３の板状部（斜路３５／隔壁３６（図４（ａ）参照））の上端縁３０の高さ３０ｈを、ペットボトル６の底部６５が通過する最下端６５ｂより、少なくとも間隙ｔだけ低く設定する必要がある。ここで、ｔは、ペットボトル６の底部６５が、区分手段３の上端縁３０の上方を通過するとき、両者の干渉を防止できる程度の隙間である。
【００２８】
しかるに、ペットボトル６の底部６５が通過する最下端６５ｂは、ペットボトルの落下軌跡、板状部（斜路３５／隔壁３６）の上端縁３０上に至ったときの回転角、ペットボトル６の長さ等により決まり、これらは、前記「弾性リップ１５の材質、弾力、サイズ、厚さ、角度等，投入斜路１０の傾斜角度、斜面の材質、長さ（転動する距離）等，受入部１の下端からロッド２０に至る落下距離等」の他、掛止部（ロッド２０／縦板２１の上縁部２０）の横方向（図１（ａ）での左右方向）の位置、ストッパ１６の面形状、位置、材質等，さらには、ペットボトルの形状や重心位置等に影響されるため、５００ｃｃ容器や３５０ｃｃ容器等、分別の対象とする容器を用いて実験を繰り返すことにより、適切な値を求めることができると考えられる。
【００２９】
（２）空き缶７の処理の原理
図２は、斜路３５の上端縁３０を越えないように、言い換えれば、斜路３５の上部斜面３５１上へ送り込むことなく空き缶７を落下させる原理を示す。装置の構成は、図１と同じである。
図示の装置では、受入部１の投入斜路１０に置かれることにより該投入斜路１０上を転動して受入部１から落下する缶７は、一時掛止手段２の具体例であるロッド（竹ひご）２０に当接して跳ね返され、回転しつつ落下する。
【００３０】
図示のように、ロッド２０に当接した時点での空き缶７の重心７ｃの左右位置（ここでの「左右」は、図１（ａ）や図４（ａ）を基準とした左右；以下同様）は、斜路３５の上端縁３０より右側であり、斜路３０の上部斜面３５１側ではない。このため、落下途中で缶７が斜路３５の上端縁３０に当接したとしても、缶７は、斜路３５の上部斜面３５１側へ入り込むことはなく、そのまま落下し、缶用斜路（第２の斜路）４を経て外部へ送出される。種々の長さの空き缶７で実験したところ、それらの全て、１００％が、上部斜面３５１側へ入り込まず、そのまま落下して缶用斜路４から外部へ送出された。
【００３１】
（３）斜路３５の上端縁３０の左右位置
上記「（２）空き缶７の処理の原理」より明らかなように、斜路３５の上端縁３０（＝隔壁３６の上端縁３０；図４（ａ）参照）の最右端位置は、「空き缶７を斜路３５の上部斜面３５１側へ送り込むことなくそのまま落下させる」という要請から、空き缶７の重心７ｃの直下の位置として規定することができる。したがって、上端縁３０の左右方向の位置の望ましい許容範囲は、空き缶７の重心７ｃの直下より左側の領域となる。なお、空き缶７の重心７ｃの直下の位置より右側の領域に斜路３５や隔壁３６の上端縁３０を設定したとしても、直ちに、空き缶をそのまま缶用斜路４へ落下させることが全く不可能となるというわけではない。
【００３２】
一方、前記「（１）ペットボトル６の分別原理」より明らかなように、斜路３５の上端縁３０（＝隔壁３６の上端縁３０）の最左端位置は、「ペットボトル６を斜路３５の上部斜面３５１上へ送り込むように付勢する」という要請から、ロッド（掛止部）２０の直下の位置として規定することができる。したがって、上端縁３０の左右方向の位置の望ましい許容範囲は、ロッド（掛止部）２０の直下より右側の領域となる。さらに、「ペットボトル６を斜路３５の上部斜面３５１上へ、確実に、送り込むように付勢する」という要請からは、ペットボトル６の重心６ｃの直下の位置として規定することができるため、上端縁３０の左右方向の位置の更に望ましい許容範囲は、ペットボトル６の重心６ｃの直下より右側の領域となる。
なお、ロッド（掛止部）２０の直下の位置より左側の領域に斜路３５や隔壁３６の上端縁３０を設定したとしても、直ちに、ペットボトル６を斜路３５の上部斜面３５１上へ送り込むことが全く不可能となるというわけではない。
【００３３】
以上より、区分手段３の斜路３５の上端縁３０の左右方向の位置の望ましい範囲（＝隔壁３６の上端縁３０の左右方向の位置の望ましい範囲）は、
（ａ）「ロッド（掛止部）２０の直下の位置より右側〜空き缶７の重心７ｃの直下の位置より左側」（図４（ａ）内の「ｐ」）；
であり、さらに望ましくは、
（ｂ）「ペットボトル６の重心６ｃの直下の位置より右側〜空き缶７の重心７ｃの直下の位置より左側」（図４（ａ）内の「ｑ」）；
である。
【００３４】
（４）第１の実施の形態
図３は、第１の実施の形態のペットボトル分別装置を示す。
図３の構成は、原理説明に用いた図１や図２と略同様であるが、斜路３５の下部３５３の送出先にペットボトル収容部９６を設けるとともに、缶用斜路４の送出先にアルミ缶収容部（第２の収容部）９７を設けた点で、図１や図２の構成と異なる。
【００３５】
また、図３の構成では、アルミ缶とスチール缶を分別する機構も設けている。即ち、受入部１の投入斜路１０の下端付近の裏面側に磁石５２を設けるとともに、投入斜路１０を転動して来たスチール缶８を磁石５２で引きつけて、その下方の壁部に設けたスチール缶用開口５から、スチール缶収容部９８へ送出するように構成している。
【００３６】
また、スチール缶８が磁石５２に吸着されて止まってしまうことを防止するために、スチール缶用開口５の上縁から樹脂シート片５４を下垂させている。なお、この構成や作用については、本願出願人の特許である「特許第５７９２８８１号」にて詳述しており、また、本願発明の要旨でもないため、これ以上の説明は割愛する。
【００３７】
（５）第２の実施の形態
図４（ａ）は、第２の実施の形態のペットボトル分別装置を示す。
第２の実施の形態では、第１の実施の形態の斜路３５に代えて、隔壁３６を設けるとともに、ペットボトル６を収容するためのペットボトル収容室９６Ａを設けている。その余の構成は、第１の実施の形態と同様である。
【００３８】
（６）変形例
原理説明で用いた図１や図２、第１の実施の形態の説明で用いた図３、及び、第２の実施の形態の説明で用いた図４（ａ）では、掛止部２０としてロッド（竹ひご）を例示しているが、他に、例えば、針金、釣り糸、たこ糸、木の棒、等を用いることができる。
【符号の説明】
【００３９】
１  受入部
１０  投入斜路
１５  付勢手段（弾性リップ，弾性片）
２  一時掛止手段
２０  掛止部（ロッド，縦板の上縁部）
２０１  案内部
２１  縦板
２２  横板
２３  ストッパ
２４  ストッパ
２５  支持軸
３  区分手段
３０  上端縁
３５  斜路（板状部）
３５１  上部斜面
３５３  下部
３６  隔壁（板状部）
４  缶用斜路（第２の斜路，アルミ缶用斜路）
５  缶用開口（スチール缶用開口）
５２  磁石
５４  樹脂シート片
６  ペットボトル
６ｃ  重心
６１  口部
６２  突リング
６３  口部域
６５  底部
７  アルミ缶
７ｃ  重心
８  スチール缶
８ｃ  重心
９６  ペットボトル収容部
９６Ａ  ペットボトル収容室
９７  アルミ缶収容部（第２の収容部）
９８  スチール缶収容部
【図１】
2018094527.tif 000003
【図２】
2018094527.tif 000004
【図３】
2018094527.tif 000005
【図４】
2018094527.tif 000006